(57)【要約】  【解決手段】  ディスプレイ１６上に地図データデータベース１５に記憶されている地図情報を表示するステップと、電池ペン４によりディスプレイ１６上の所定位置を指定するステップと、該所定位置の位置情報を認識するステップと、ディスプレイ１６上に電柱情報編集ウインドウを表示するステップと、電子ペン４により上記編集ウインドウから電柱に関連する情報を入力するステップと、入力された電柱に関する情報に基づいて電柱に関する記号をシンボルデータファイル２４ｂから読み出してディスプレイ１６の指定された所定位置に表示するステップと、入力された電柱に関する情報をデータベース１４に記憶するステップと、からなる電柱情報入力方法。  【効果】  ディスプレイ１６上に表示された現在位置の地図情報上の位置を指定することにより電柱に関する各種情報を容易に入力することができ、電柱情報入力作業を極めて効率的に行い得る。  【選択図】  図２
2004302477.tif 000002
【特許請求の範囲】
【請求項１】
地図情報を表示し得る表示手段、電柱記号のアイテム番号及びその記号の位置情報を含む地図情報を記憶している地図データベース、表示手段に表示された地図上の情報入力位置のローカル座標を方位角情報に変換するためのライブラリー、地図上に表示される電柱記号等の各種シンボルが格納されたシンボルデータファイル、各種情報を入力するための入力手段、該入力手段から入力された各種情報を記憶すると共に上記電柱記号の上記アイテム番号及びその方位角情報を記憶している電柱情報記憶手段、上記入力手段による入力操作に基づいて各種制御を行う制御手段とを有するコンピュータを利用した電柱情報入力方法であって、
上記制御手段が、
上記表示手段に電柱情報入力のための複数の登録ボタンにより構成された情報入力ボタン及び上記地図データベースに記憶されている地図情報を上記シンボルデータファイルに記憶されている各種シンボルと共に地図画面として表示するステップと、
上記入力手段による所定の上記情報入力ボタンの何れかの指定を検出するステップと、
上記入力手段による地図画面上の電柱記号の指定及び情報入力位置の指定を検出し、指定された情報入力位置のローカル座標に基づいて上記地図データベースから当該ローカル座標に最も近いローカル座標に登録されている上記電柱記号のアイテム番号を取得すると共に、上記ライブラリーに基づいて上記情報入力位置のローカル座標を方位角情報として認識するステップと、
指定された上記情報入力ボタンに関連した記号を上記シンボルデータファイルから読み出して、上記地図画面上の指定された上記情報入力位置に表示するステップと、
指定された上記情報入力ボタンに関連した記号の位置情報として上記情報入力位置の方位角情報を、上記取得した電柱記号のアイテム番号が登録されている上記電柱情報記憶手段内の電柱情報テーブルに記憶するステップと、
を実行することを特徴とする電柱情報入力方法。
【請求項２】
上記情報入力ボタンは、ハウスカウント登録ボタン、支線登録ボタン、トランス登録ボタンを含む、請求項１記載の電柱情報入力方法。
【発明の詳細な説明】
【技術分野】
【０００１】
本発明は、ＣＡＴＶ等のケーブルの架設等に関連する各種電柱情報を入力するための電柱情報入力方法に関するものである。
【背景技術】
【０００２】
各種ケーブルの架設等に際して、当該ケーブルを架設する地域において、事前に電柱の位置、径間長、周辺の電線引きこみ住宅等の各種情報を調査する必要がある。
【０００３】
このような調査は、従来、現場にて調査用紙に手書きで電柱に関する情報を書き込むことにより行っていた。また、コンピュータ画面上に表示される各種入力項目に従って、各種情報を入力し得るコンピュータを利用した電柱情報入力装置も考案されている。
【０００４】
【特許文献１】特開２０００−１１３０１４号公報
【発明の開示】
【発明が解決しようとする課題】
【０００５】
ところで、上記従来の手作業での調査は、極めて煩雑な作業を要求されるものであり、より効率的な作業が求められていた。また、コンピュータを利用した従来の電柱情報入力装置は、例えば電柱の位置情報を住所等で入力するものであり、その電柱が地図上のどの位置に存在するか等は、別途地図等を開いて、手作業で確認する必要があった。
【０００６】
本発明は、上記従来の問題点に鑑みてなされたものであり、表示手段に表示される地図画面上に電柱情報を入力することができ、効率的にデータの入力作業が行えると共に、入力された電柱に関する情報を地図画面上に表示することのできる電柱情報入力方法及び電柱情報入力装置を提供することを目的とする。
【課題を解決するための手段】
【０００７】
上記の目的を達成するため本発明は、
地図情報を表示し得る表示手段、地図情報を記憶している地図情報記憶手段、各種情報を入力するための入力手段、該入力手段から入力された各種情報を記憶するための電柱情報記憶手段、上記入力手段による入力操作に基づいて各種制御を行う制御手段とを有するコンピュータを利用した電柱情報入力方法であって、上記制御手段が、上記表示手段に上記地図情報記憶手段に記憶されている地図情報を地図画面として表示するステップと、上記入力手段による上記地図画面上の所定位置の指定を検出し、当該位置の位置情報を認識するステップと、上記表示手段に入力情報編集ウインドウを表示するステップと、上記入力手段による上記ウインドウからの電柱に関する情報の入力を検出するステップと、入力された電柱に関する情報に基づいて電柱に関する記号を上記地図情報記憶手段から読み出して上記地図画面上の指定された上記所定位置に表示するステップと、入力された電柱に関する情報を上記電柱情報記憶手段に記憶するステップと、を実行することを特徴とする電柱情報入力方法により構成されるものである。
【０００８】
上記表示手段は例えば液晶ディスプレイ（１６）等により構成することが好ましい。上記地図情報記憶手段は、例えば汎用の地図データベース（１５）及びシンボルデータファイル（２４ａ）等により構成することが好ましい。上記入力手段は、例えば電子ペン（７）やタッチパネル（１７）等により構成することが好ましいが、その他キーボード、マウス等により構成することができる。上記電柱情報記憶手段は、例えばハードディスク等に設けられたデータベース（１４）等により構成することが好ましい。上記制御手段は、ＣＰＵ（１１）、及び電柱情報入力操作の制御を行うメインプログラムとしての操作部ソフトウエア（２３）、地図データベース（１５）に基づいて地図データの表示制御等を行う地図制御ソフトウエア（２４）、及び支援ソフトウエア（２４ａ）等により構成することが好ましい。上記地図画面は例えば電柱情報入力画面（１２０）等により構成することが好ましい。上記所定位置の位置情報は例えば方位角（緯度、経度）等により認識することができる。上記入力情報編集ウインドウは例えば図２１の電柱情報編集ウインドウ（３００）等のように電子ペン（４）でプロット等することで各種情報を入力可能に構成することが好ましいが、これに限定されない。上記電柱に関する情報は、例えば、電柱番号、電柱種類、電柱材質、光ケーブルの種類等の各種情報を入力可能に構成することができる。上記電柱に関する記号は、各種の電柱の種類を示す記号、ハウスカウント記号等により構成することが好ましい。
【０００９】
また、地図情報を表示し得る表示手段、地図情報を記憶している地図情報記憶手段、各種情報を入力するための入力手段、該入力手段から入力された各種情報を記憶するための電柱情報記憶手段、上記入力手段による入力操作に基づいて各種制御を行う制御手段とを有するコンピュータを利用した電柱情報入力方法であって、上記制御手段が、上記表示手段に電柱情報入力のための情報入力ボタン及び地図情報記憶手段に記憶されている地図情報を地図画面として表示するステップと、上記入力手段による所定の上記情報入力ボタンの指定を検出するステップと、上記入力手段による地図画面上の電柱に関する記号及び情報入力位置の指定を検出し、該情報入力位置の位置情報及び指定された電柱に関する記号を認識するステップと、指定された上記情報入力ボタンに関連した情報記号を上記地図情報記憶手段から読み出して上記地図画面上の指定された上記情報入力位置に表示するステップと、上記情報記号に関する情報を電柱情報記憶手段に記憶するステップと、を実行することを特徴とする電柱情報入力方法により構成されるものである。
【００１０】
上記電柱情報入力のための情報入力ボタンは、例えば地図情報と共に表示され、支線登録ボタン（１２９）等が表示されたツールバー（１２２）等により構成することが好ましい。尚、上記電柱情報とは、例えば電柱に関する支線、トランス等の情報を含むものである。上記情報入力ボタンは、例えば、支線登録ボタン（１２９）、トランス登録ボタン（１３０）等により構成することが好ましい。上記電柱に関する記号は、例えば既に登録されている電柱記号等であることが好ましい。上記情報入力位置は、例えば支線登録であれば支線の位置、方向等であり、径間長登録であれば径間長を算出したい２つの電柱に関する記号の位置等が情報入力位置となる。上記情報入力ボタンに関連した情報記号は、支線登録であれば例えば支線の方向を示す矢印状の記号、トランス登録であれば例えば「Ｔ」の記号、等で構成することが好ましい。上記情報記号に関する情報とは、支線登録であれば支線の数、方向等により構成することが好ましい。
【００１１】
また、地図情報を記憶した地図情報記憶手段と、上記地図情報記憶手段に記憶されている地図を地図画面として表示し得る表示手段と、該表示手段から各種情報を入力し得る入力手段と、該入力手段の入力操作に基づいて各種情報処理を行う制御手段と、上記入力操作に基づいて入力された各種情報を記憶し得る電柱情報記憶手段とを有し、上記制御手段は、上記入力手段が上記地図画面上の所定位置を指定するとその位置情報を認識する位置情報認識手段、該認識手段の認識に基づいて上記表示手段に入力情報編集ウインドウを表示する編集ウインドウ表示手段、上記ウインドウから上記入力手段により電柱に関連する情報の入力があると、入力された電柱に関する情報に基づいて上記電柱に関する記号を上記地図情報記憶手段から読み出して上記地図画面上の上記所定位置に表示する表示制御手段、上記入力された電柱に関する情報を上記電柱情報記憶手段に記憶する記憶制御手段、とを具備するものであることを特徴とする電柱情報入力装置により構成されるものである。
【００１２】
上記位置情報認識手段は、例えば電子ペン（４）等により地図画面上をプロットすると当該プロット位置の緯度・経度情報等を認識するものである（例えば、図３５の位置情報検出手段（５９）、部品情報・位置情報認識手段（６０）等）。上記編集ウインドウ表示手段は、例えば電柱情報編集ウインドウ（３００）等を表示手段に表示するものである（例えば、図３５の編集ウインドウ表示手段（６３）等）。上記表示制御手段は、上記表示手段の地図画面上に例えば電柱記号等の各種記号等を表示するものである（例えば、図３５の描画要求手段（５６）、地図表示制御手段（５８）等）。上記記憶制御手段は、上記データベース（１４）等の地図情報記憶手段内に各種電柱情報等を記憶する機能を有するものである（例えば、図３５の記憶制御手段（６４）等）。
【００１３】
また、地図情報を記憶した地図情報記憶手段と、電柱情報入力のための情報入力ボタン及び上記地図情報記憶手段に記憶されている地図を地図画面として表示し得る表示手段と、該表示手段から各種情報を入力し得る入力手段と、該入力手段の入力操作に基づいて各種情報処理を行う制御手段と、上記入力操作に基づいて入力された各種情報を記憶し得る電柱情報記憶手段とを有し、上記制御手段は、上記入力手段が上記情報入力ボタン、上記地図画面上の電柱に関する記号及び情報入力位置を指定すると、指定された上記記号及び情報入力位置を認識する部品位置情報認識手段、上記指定された情報入力ボタンに関連した情報記号を上記地図情報記憶手段から読み出して、該情報記号を上記地図画面上の上記情報入力位置に表示する表示制御手段、上記情報記号に関する情報を上記電柱情報記憶手段に記憶する記憶制御手段、とを具備するものであることを特徴とする電柱情報入力装置により構成されるものである。
【００１４】
上記部品位置情報認識手段は、例えば電子ペン（４）等により地図画面上で指定された部品及び情報入力位置を認識するものである（例えば図３５の部品取得手段（６８）、位置情報検出手段（５９）、部品情報・位置情報認識手段（６０）等）。
【００１５】
また、地図情報を表示し得る表示手段、電柱記号のアイテム番号及びその記号の位置情報を含む地図情報を記憶している地図データベース、表示手段に表示された地図上の情報入力位置のローカル座標を方位角情報に変換するためのライブラリー、地図上に表示される電柱記号等の各種シンボルが格納されたシンボルデータファイル、各種情報を入力するための入力手段、該入力手段から入力された各種情報を記憶すると共に上記電柱記号の上記アイテム番号及びその方位角情報を記憶している電柱情報記憶手段、上記入力手段による入力操作に基づいて各種制御を行う制御手段とを有するコンピュータを利用した電柱情報入力方法であって、上記制御手段が、上記表示手段に電柱情報入力のための複数の登録ボタンにより構成された情報入力ボタン及び上記地図データベースに記憶されている地図情報を上記シンボルデータファイルに記憶されている各種シンボルと共に地図画面として表示するステップと、上記入力手段による所定の上記情報入力ボタンの何れかの指定を検出するステップと、上記入力手段による地図画面上の電柱記号の指定及び情報入力位置の指定を検出し、指定された情報入力位置のローカル座標に基づいて上記地図データベースから当該ローカル座標に最も近いローカル座標に登録されている上記電柱記号のアイテム番号を取得すると共に、上記ライブラリーに基づいて上記情報入力位置のローカル座標を方位角情報として認識するステップと、指定された上記情報入力ボタンに関連した記号を上記シンボルデータファイルから読み出して、上記地図画面上の指定された上記情報入力位置に表示するステップと、指定された上記情報入力ボタンに関連した記号の位置情報として上記情報入力位置の方位角情報を、上記取得した電柱記号のアイテム番号が登録されている上記電柱情報記憶手段内の電柱情報テーブルに記憶するステップと、を実行することを特徴とする電柱情報入力方法により構成される。
【００１６】
また、上記情報入力ボタンは、ハウスカウント登録ボタン、支線登録ボタン、トランス登録ボタンを含むことが好ましい。
【００１７】
尚、本欄において、各構成要件に対応して実施形態における各部の符号をかっこ書で示したが、これは対応関係を明確にするために便宜上付したもので、これに限定されるものではない。
【発明の効果】
【００１８】
本発明は以上のように、ディスプレイ上に表示された現在位置の地図画面上の位置を指定することにより電柱に関する各種情報を入力することができるため、調査現場における入力作業が極めて容易であり、また入力された各種情報を地図画面上に表示することができるので、電柱に関する情報を地図上で一目で確認することができ、極めて操作性の高い電柱情報入力方法を提供することができる。
【発明を実施するための最良の形態】
【００１９】
以下、本発明の実施の形態を添付図面に基づいて詳細に説明する。
【００２０】
図１は本発明にかかる電柱情報入力装置の全体構成を示す図であり、いいわゆる携帯用パソコン等により構成された複数の経路情報入力端末１と、当該入力端末１と携帯電話２を介して通信可能に形成された基地局サーバ３により構成されている。上記入力端末１において、４は各種情報を画面１ａ上から入力するための電子ペン、５は各種電柱の写真を撮影して該端末１に取り込むためのデジタルカメラ、６は上記入力端末１の現在位置情報を検出して現在位置の地図情報を上記画面１ａ上に表示するためのＧＰＳアンテナである。尚、上記基地局サーバ３には、サーバパソコン７、上記携帯電話２と通信をするためのモデム９及びターミナルアダプタ１０、各種報告書等を印刷するためのプリンタ８が接続されている。
【００２１】
図２は上記情報入力端末１の構成図であり、１１は制御手段としてのＣＰＵ、１２は各種アプリケーションプログラムが記憶され、ＲＡＭから構成された主記憶装置、１３はハードディスク等から構成された補助記憶装置であり、該補助記憶装置１３には、各種電柱情報を記憶するための電柱情報記憶手段としてのデータベース１４、地図データが記憶された市販の汎用地図データベース（地図データ記憶手段）１５が格納されている。
【００２２】
１６は上記ＣＰＵ１１に接続され、液晶により構成されたディスプレイ、１７は上記ディスプレイ１６後方に配置されたタッチパネルであり、上記電子ペン４により上記ディスプレイ１６上をタッチすることで、上記タッチパネル１７を介して各種情報の入力が行えるように構成されている。
【００２３】
１８はＰＣＭＣＩＡ規格のカードインターフェースであり、当該インターフェイス１８には、ＰＨＳ通信カード１９、携帯電話通信カード２０が接続されており、各々のカード１９，２０にＰＨＳ電話２’、携帯電話２を接続して、上記基地サーバ３と通信可能に構成されている。２１は上記インターフェース１８に接続されたＣＯＭカードであり、該カード２１には上記ＧＰＳアンテナ６が接続されており、上記ＣＰＵ１１は該アンテナ６で検出した位置情報に基づいて上記地図データベース１５の地図データを検索し、上記ディスプレイ１６上に現在位置の地図を表示できるように構成されている。
【００２４】
２２は上記ＣＰＵ１１に接続されたＵＳＢインターフェースであり、上記デジタルカメラ５が接続されている。
【００２５】
上記主記憶装置１２には、上記データベース１４の各種情報に基づいて後述の電柱情報入力等の各種制御を行うメインプログラムとしての操作部ソフトウエア２３（以下、操作部ソフトという）、上記地図データベース１５内の地図データに基づいて、ディスプレイ１６上に地図を表示するための既存の地図制御用ソフトウエア（以下、地図ソフトという）２４、上記操作部ソフト２３と上記地図ソフト２４との間でＤＤＥ通信等により各種のデータの交換を行う地図ソフト支援プログラム２４ａ（以下支援ソフトという）、地図上に表示される各種シンボル（電柱に関する情報）が格納されたシンボル記憶手段としてのシンボルデータファイル２４ｂが格納されている。上記地図ソフト２４は上記地図データベース１５と共に、市販の地図表示ソフトを使用することができる。尚、当該地図ソフト２４には図３６に示すようにディスプレイ１６上で特定される地図上の地点を後述のローカル座標として認識し、当該地点のローカル座標を緯度・経度に変換するためのライブラリーを具備している。
【００２６】
このシンボルは、図３に示すように、電柱部品（同図（ａ））、ハウスカウント部品（同図（ｃ））により構成されており、上記電柱部品には、電柱記号２５、該電柱に載置されているトランスとその設置方向を示すトランス記号Ｔ、電柱の支持部材の方向を示す矢印状の支線記号２６により構成されている。尚、上記電柱記号２５は図３（ｂ）に示すように電柱の種類によって、各種の記号が選択できるように構成されている。上記ハウスカウント部品（ｃ）は、円形の住宅記号２９及び三角形のオフィス記号３０により構成されている。また、図３（ａ）に示す電柱番号（図中「２３２タ１０２」で示すもの）、及び図３（ｃ）に示すハウスカウント部品中の引込み線の数を表す数字（「３」、「５」等の世帯情報）、径間長（電柱と電柱との間の距離）を示す数字（図３０（ｃ）における「３８」等）は文字情報としてデータベース１４に登録され、径間長を示すライン（例えば図３０におけるライン２１３）は線分データ（線種）としてデータベース１４に登録する（図６〜図８参照）。
【００２７】
上記データベース１４には、図４に示す後述のマスタデータ（ａ）乃至（ｅ）及び後述の装柱図の部品の位置情報等を格納している部品情報テーブル（図５）、電柱情報テーブル（図６）、ハウスカウントテーブル（図７、電柱からの引き込み線の建物の種別、引き込み線の数（世帯数）等）、径間長テーブル（図８、主に電柱と電柱との距離を示す）、が格納されるものである。これらの各種情報テーブルには、入力端末１毎に予め設定されている番号であって、各端末を区別するための端末番号（本入力端末は端末番号「１」とする）、及びデータＩＤが各種情報の１セット毎に付与されるようになっている。例えば、電柱情報テーブル（図６）であれば、電柱に関する「電柱番号」（「２３２タ４４５」）から「トランス記号のアイテム番号」までが１つの電柱に関する入力データの１セットであり、この１セットのデータに対応してデータＩＤ「２０」が付与されるものである。他の電柱情報（電柱番号「２３２タ２５５」等）については別のデータＩＤ（例えば「２１」）が付与されることで各電柱情報を区別し得るように構成されている（図６参照）。他のテーブルについても、同様に、ハウスカウントテーブル（図７）であれば「端末番号＋電柱情報データＩＤ」から「ハウスカウント記号の方位角」までが１セットのデータ（データＩＤ「３０」）、径間長テーブル（図８）であれば「電柱１：端末番号＋電柱情報データＩＤ」から「線分データ」までが１セットのデータ（データＩＤ「４０」）となっている。
【００２８】
上記地図データベース１５は、地図データの他、地図上に描画される全ての部品に対するアイテム番号及び位置情報が付与されるものであり、後述の電柱情報入力時等において、部品が指定されると、その部品に対して連続的にアイテム番号が付与されていくものである（図９）。従って、地図データベース１５上では入力される全ての部品に対して異なるアイテム番号が付与されることになる。また、当該地図データベース１５上では全ての部品に対して例えば方位角（緯度、経度データ）、或いはＸ−Ｙ座標系等として、それらの位置情報を記憶している（図９参照）。尚、本実施形態では、上記地図ソフト２４は後述のローカル座標系（図３６参照）として各部品の位置情報を記憶しているものとする。
【００２９】
次に、上記経路情報入力端末１のＣＰＵ１１が上記操作部ソフト２３等に従って行う動作について説明する。まず、上記入力端末１を起動すると（図１０Ｓ１）、ＣＰＵ１１は主記憶装置１２の地図ソフト２４を起動し(図１０Ｓ２)、ソフト２４の起動を確認すると（図１０Ｓ３，Ｓ４）、当該ソフトの地図アプリケーションウインドウを隠して(図１０Ｓ５)、操作部ソフト２３に基づいてディスプレイ１６上に図１１に示すメニュー画面１００を表示する（図１０Ｓ６）。尚、起動に失敗した場合は、終了する（図１０Ｓ７、Ｓ８）。このメニュー画面１００においては、電柱情報を入力するための電柱情報入力ボタン１０１、電柱情報一覧ボタン１０２、マスタ登録ボタン１０３、データバックアップボタン１０４、終了ボタン１０５が各々表示されており、各ボタンを電子ペン４でプロットすることにより、各ボタンに対応する処理に移行する。
【００３０】
ここで、後述の各種電柱情報の入力の説明の前に、電柱情報の入力のマスタデータとなるマスタ登録について説明する。マスタ登録を行う場合は、上記メニュー画面１００においてマスタ登録ボタン１０３を電子ペン４でプロットする（図１２Ｓ６）。すると、ＣＰＵ１１はタッチパネル１７を介してこれを検出し、操作部ソフト２３に基づいて、ディスプレイ１６上に図１３（ａ）に示すマスタ登録画面１１０を表示する(図１２Ｓ７、図１４Ｓ１、Ｓ２)。このマスタ登録画面１１０では、ケーブル種類、柱長−強度、装柱図の各タブを有しており、各タブをプロットすることにより、各マスタデータを予め登録できるように構成されている。ケーブル種類を入力する場合は「ケーブル種類」のタブを電子ペン４でプロットし、「光ケーブル」、「ＣＰＥＶ」の各入力画面１１１から、図１３（ａ）に示すように光ケーブルの種類、ＣＰＥＶの種類を入力する（図１４Ｓ３）。
ＣＰＵ１１は操作部ソフト２３に基づいてこれらのデータをデータベース１４内のマスターデータの光ケーブルテーブル（図４（ｂ））、ＣＰＥＶケーブルのテーブル（図４（ａ））に書き込む（図１４Ｓ４）。
【００３１】
また、柱長、強度についても「柱長―強度」のタブを電子ペン４でプロットし、図１３（ｂ）の入力画面１１２から柱長及び強度を入力し、装柱図についても「装柱図」タブを同様にプロットし、図１３（ｂ）の装柱図入力画面１１３から装柱図部品を入力する。ＣＰＵ１１は、操作部ソフト２３に基づいてこれらのデータをデータベース１４のマスターデータの柱長テーブル（図４（ｄ））、強度テーブル（図４（ｃ））、装柱図部品マスタテーブル（図４（ｅ））に書き込む。
【００３２】
その後、操作者はマスタ登録画面１１０のメニューボタン１１４を電子ペン４でプロットすると、上記メニュー画面１００に移行する（図１４Ｓ５，Ｓ６）。
【００３３】
上記データベース１４上のマスタデータ（図４（ａ）〜（ｅ））は、後述の電柱情報編集ウインドウ３００（図２１）において、ＣＰＵ１１が該電柱情報編集ウインドウ３００に関連する所定のコンボボックスに登録することでプルダウンメニューとして表示されるものであり、操作者は各種データを電子ペン４でプロットして選択するだけで入力できるので、現場において入力作業を簡略化することができる。尚、上記各マスターデータのテキスト入力は、周知のペン入力ＯＳの動作に基づいて、ディスプレイ１６上に表示される文字入力欄より手書き入力等により行われる。
【００３４】
次に、上述マスタ登録が終了した上で、現場においての電柱情報入力動作について説明する。まず、現場において、操作者はディスプレイ１６の上記メニュー画面１００（図１１）の電柱情報入力ボタン１０１を電子ペン４でプロットする（図１２Ｓ２）。上記ＣＰＵ１１はタッチパネル１７を通じてかかるボタンの押圧を検出し、図１５に示す電柱情報入力画面１２０に移行する（図１２Ｓ２、Ｓ３）。即ち、上記ＣＰＵ１１（操作部ソフト２３）は上記地図ソフト２４に基づいて地図データベース１５から所定位置の地図を読み出して当該地図１２１をディスプレイ１６上に表示すると共に画面左側にツールバー１２２を表示して、図１５に示す入力画面１２０を表示する。尚、上記地図データベース１５には予め福岡市の地図データがインストールされており、上記画面１２０には福岡市の地図が表示されているとする。
【００３５】
上記地図ソフト２４は図３６に示すように、予めタッチパネル１７のＸ，Ｙ座標に対応して、上記ディスプレイ１６の地図１２１上にローカル座標系を設定している。このローカル座標系は、上記地図１２１を複数の小区画（例えば図３６の１２区分）に区分して、プロットされた位置（例えばプロット位置Ｎ）の各小区画を示す「図番号（Ｘ，Ｙ）座標」と、小区画内の原点Ｐを（０，０）とする「図内（ｘ，ｙ）座標」により構成されている。従って、プロットされた位置が上記プロット位置Ｎであれば、上記地図ソフト２４は、ローカル座標により「図番号（２，３）」、「図内（ｘ，ｙ）」として上記地図１２１上のプロット位置Ｎを認識することができる。
【００３６】
また、上記地図ソフト２４は、図３６に示すように当該ローカル座標を経度・緯度情報に変換するライブラリーを持っており、上記地図ソフト２４において上記プロット位置Ｎの地図１２１上のローカル座標が決定すると、上記支援ソフト２４ａは当該ライブラリーを参照して上記プロット位置Ｎのローカル座標を緯度・経度からなる方位角情報（例えば、「１３０．２４．５３．６５２，０３３．３４．２１．３８０」のように緯度、経度の順でミリ秒までのテキストデータ）に変換する。
【００３７】
次に、電子ペン４でディスプレイ１６の地図１２１上をプロットした後、当該プロット位置に部品記号等を描画するまでの手順について説明する。電子ペン４でのプロット方法は、（イ）ツールバー１２２の所定のボタンを押した後、地図１２１上の所定位置（例えば部品入力位置としての図３６の位置Ｎ）をプロットして当該位置に電柱記号を表示する場合（電柱登録処理、図３７）、（ロ）ツールバー１２２の所定のボタンを押した後、地図１２１に表示されている記号（例えば図３６の電柱記号Ｍ）をプロットし、その後、当該記号に関連する部品の表示位置として当該記号近傍（図３６の位置Ｎ）をプロットする場合（ハウスカウント登録処理等、図３８）、（ハ）ツールバー１２２の所定のボタンを押した後、地図１２１上に表示されている２つの電柱記号（例えば図３０の２１１と２１２）をプロットし、当該２つの記号間の距離等を地図上に表示する場合（径間長登録処理、図３９）がある。
【００３８】
そこで、先ず（イ）の場合は（図３７参照）、ディスプレイ１６のツールバー１２２内の電柱登録ボタン１２７を電子ペン４でプロットし（図３７Ｓ１）、その後地図１２１上の所定位置（図３６の位置Ｎとする）をプロットすると（図３７Ｓ２）、地図ソフト２４がタッチパネル１７のＸ，Ｙ座標位置に基づいて当該位置を認識し、その座標を上記ローカル座標として認識する（図３７Ｓ３）。その後、支援ソフト２４ａが上記地図ソフト２４の上記ライブラリーを参照して、当該ローカル座標を緯度・経度からなる方位角情報に変換し（図３７Ｓ４）、当該方位角情報を操作部ソフト２３に送信する（図３７Ｓ５）。これにより操作部ソフト２３は上記プロット位置の方位角を認識することができる（図３７Ｓ６）。その後は、画面上に情報編集ウインドウ等を表示して各種情報入力処理が行われる（図３７Ｓ７）。操作部ソフト２３は入力された情報をデーターベース１４に登録し、上記方位角情報及び入力された各種部品情報を支援ソフト２４ａに送信し（図３７Ｓ８）、当該支援ソフト２４ａは上記方位角情報を上述とは逆にローカル座標に変換し（図３７Ｓ９）、入力された部品情報を当該ローカル座標の位置に描画するよう地図ソフト２４に要求する（図３７Ｓ１０）。上記地図ソフト２４は上記描画要求に基づいて上記ローカル座標の位置（プロット位置Ｎ）に入力された記号（例えば電柱記号等）を描画する（図３７Ｓ１１）。
【００３９】
次に、（ロ）の場合は（図３８参照）、ディスプレイ１６のツールバー１２２の所定のボタン（ハウスカウント登録ボタン１２８等）を電子ペン４でプロットし（図３８Ｓ１）、その後地図１２１上の電柱記号Ｍと当該電柱記号に関連して登録する部品の表示位置Ｎ（電柱記号Ｍの近傍位置）の２ヶ所をプロットすると（図３６、図３８Ｓ２参照）、地図ソフト２４がタッチパネル１７のＸ，Ｙ座標位置に基づいて当該表示位置Ｎを認識し、その表示位置Ｎの座標を上記ローカル座標として認識する（図３８Ｓ３）。その後、支援ソフト２４ａが地図ソフト２４に対して、上記表示位置Ｎのローカル座標を特定して、当該ローカル座標に最も近い登録部品のアイテム番号の取得を要求する（図３８Ｓ４）。上記地図ソフト２４は、上記地図データベース１５に登録されている位置情報（ローカル座標）に基づいて、上記表示位置Ｎのローカル座標に最も近いローカル座標に登録されているの部品のアイテム番号を検索して当該アイテム番号を支援ソフト２４ａに送信する（図３８Ｓ５）。上記表示位置Ｎは上記電柱記号Ｍの近傍位置をプロットしているため、当該アイテム番号は最初にプロットした電柱記号Ｍのアイテム番号となる。支援ソフト２４ａは、上記表示位置Ｎのローカル座標を地図ソフトの上記ライブラリーを参照することで方位角情報に変換し（図３８Ｓ６）、当該方位角情報と上記電柱記号Ｍのアイテム番号を操作部ソフト２３に送信する（図３８Ｓ７）。これにより、操作部ソフト２３は表示位置Ｎの方位角情報と電柱記号Ｍのアイテム番号を認識することができる（図３８Ｓ８）。その後は、図３７のＳ７以降と同様に、操作部ソフト２３は、画面上に情報編集ウインドウ等を表示して各種情報入力処理が行われ（図３８Ｓ９）、該操作部ソフト２３は入力された情報をデーターベース１４に登録する。また、上記操作部ソフト２３は、上記表示位置Ｎの方位角情報及び入力された各種部品情報を支援ソフト２４ａに送信し（図３８Ｓ１０）、当該支援ソフト２４ａは上記方位角情報を逆にローカル座標に変換し（図３８Ｓ１１）、入力された部品情報を当該ローカル座標の位置Ｎに描画するよう地図ソフト２４に要求する（図３８Ｓ１２）。上記地図ソフト２４は上記描画要求に基づいて上記ローカル座標の位置（プロット位置Ｎ）に入力された記号（例えばハウスカウント記号等）を描画する（図３８Ｓ１３）。
【００４０】
次に、（ハ）の場合は（図３９参照）、ディスプレイ１６の径間長登録ボタン１３１を電子ペン４でプロットし（図３９Ｓ１）、その後地図１２１上の２つの電柱記号（例えば図３０の２１１と２１２）の２ヶ所をプロットすると（図３９Ｓ２参照）、地図ソフト２４がタッチパネル１７のＸ，Ｙ座標位置に基づいて当該２つのプロット位置を認識し、それらの位置を上記ローカル座標として認識する（図３９Ｓ３）。その後、支援ソフト２４ａが地図ソフト２４に対して、上記ローカル座標を特定して、これらローカル座標に最も近い登録部品のアイテム番号の取得を要求する（図３９Ｓ４）。上記地図ソフト２４は、上記地図データベース１５に登録されている位置情報（ローカル座標）に基づいて、上記各ローカル座標に最も近いローカル座標に登録されているの部品のアイテム番号を検索して各ローカル座標に対応する２つの部品のアイテム番号（即ち、上記プロットした２つの電柱記号の各アイテム番号）を支援ソフト２４ａに送信する（図３９Ｓ５）。支援ソフト２４ａは、各アイテム番号を操作部ソフト２３に送信する（図３９Ｓ６）。これにより、操作部ソフト２３はプロットされた上記電柱記号の各アイテム番号を認識することができる（図３９Ｓ７）。その後は、図３８のＳ８以降と同様に、操作部ソフト２３は、画面上に情報編集ウインドウ等を表示して各種情報入力処理が行われ（図３８Ｓ８）、該操作部ソフト２３は入力された情報をデーターベース１４に登録する。また、上記操作部ソフト２３は、上記データベース１４を検索して上記アイテム番号に対応する電柱記号の方位角情報を読み出し、上記各電柱記号の方位角情報及び入力された各種部品情報を支援ソフト２４ａに送信し（図３９Ｓ９）、当該支援ソフト２４ａは２つの電柱部品の方位角情報を逆にローカル座標に変換し（図３９Ｓ１０）、当該ローカル座標で特定される２つの電柱記号間に径間長に関する情報を描画するよう地図ソフト２４に要求する（図３９Ｓ１１）。上記地図ソフト２４は上記描画要求に基づいて上記ローカル座標の２つの電柱記号間に径間長等の情報を描画する（図３９Ｓ１２）。
【００４１】
尚、上記図３７〜図３９の部品等の描画手順は、以下の各種電柱情報入力処理において共通に行われる処理であるため、同様の説明となる部分は図３７〜３９のステップ番号を引用して説明する。
【００４２】
次に、操作者は、電子ペン４でツールバー１２２の地図縮小ボタン１２３、地図拡大ボタン１２４を押すと（図１６Ｓ１）、ＣＰＵ１１は支援ソフト２４ａに対して地図画面の拡大、縮小を要求し（図１６Ｓ２）、その結果、支援ソフト２４ａの地図ソフト２４に対する拡大縮小要求に基づいて（図１６Ｓ３）、地図ソフト２４がディスプレイ１６上の地図の拡大、縮小を行う（図１６Ｓ４）。また、操作者がディスプレイ１６上の指定位置拡大ボタン１２５を電子ペン４でプロットし、かつ地図１２１上で中心とする位置をプロットすると（図１７Ｓ１，Ｓ２）、地図ソフト２４がプロット位置のディスプレイ１６上のＸ，Ｙ座標に基づいて当該プロット位置の上記ローカル座標を認識し、支援ソフト２４ａが上記ローカル座標を方位角情報（緯度、経度の情報）に変換して操作部ソフト２３に送信する（図１７Ｓ３、Ｓ４）。操作部ソフト２３は、当該方位角情報を中心とする地図拡大を支援ソフト２４ａに要求し（図１７Ｓ５）、その結果、支援ソフト２４ａが当該方位角情報をローカル座標に変換した上で、地図ソフト２４に対する拡大要求を行い（図１７Ｓ６）、地図ソフト２４が上記ローカル座標に基づいて上記中心位置の方向に地図を拡大する（図１７Ｓ７）。また、操作者がディスプレイ１６上の地図移動ボタン１２６を電子ペン４でプロットし、かつ地図上で中心とする位置をプロットすると（図１８Ｓ１，Ｓ２）、地図ソフト２４がプロット位置のディスプレイ１６上のＸ，Ｙ座標に基づいて当該プロット位置の上記ローカル座標を認識し、支援ソフト２４ａが上記ローカル座標を方位角情報に変換して操作部ソフト２３に送信する（図１８Ｓ３、Ｓ４）。操作部ソフト２３は、当該方位角情報を中心とする地図移動を支援ソフト２４ａに要求し（図１８Ｓ５）、その結果、支援ソフト２４ａが当該方位角情報をローカル座標に変換した上で、地図ソフト２４に対する移動要求を行い（図１８Ｓ６）、地図ソフト２４が上記ローカル座標に基づいて上記中心位置の方向に地図を移動する（図１８Ｓ７）。
【００４３】
上述のように、操作者は画面１２０上に表示される地図の拡大、移動等を行い、現在の調査現場の地図をディスプレイ１６上に表示することができる。また、上記ＧＰＳアンテナ６により現在位置情報を取得する場合は、上記ツールバー１２２のＧＰＳ位置電柱登録ボタン１３２を押すと、上記ＣＰＵ１１はＣＯＭカード２１、カードインターフェース１８を介してＧＰＳアンテナ６からの信号に基づいて現在位置情報を取得できるか否かを判断し、位置情報を取得できる場合は、上記ディスプレイ１６上に現在位置の地図を表示する。その後、操作者は上記と同様に地図の拡大、縮小等を行うことで、調査現場の地図をディスプレイ１６の画面１２０上に表示することができる。
【００４４】
次に、電柱情報を入力する場合は、上記ディスプレイ１６の入力画面１２０上のツールバー１２２の電柱登録ボタン１２７を電子ペン４でプロットすると、電柱登録処理に移行する(図１９Ｓ１)。まず、操作者は、電柱位置を調査した後、図２０（ａ）に示すように、ディスプレイ１６において、調査した電柱の存在する地図１２１上の位置２００を入力画面１２０上で電子ペン４にてプロットする（図１９Ｓ２）。すると、地図ソフト２４がプロット位置２００のディスプレイ１６上のＸ，Ｙ座標をタッチパネル１７を介して検出し、該Ｘ，Ｙ座標を上記地図ソフト２４のローカル座標系として認識し、支援ソフト２４ａが当該ローカル座標を上記ライブラリーに基づいて方位角情報（緯度・経度情報）に変換し（図１９Ｓ３、図３７Ｓ３，Ｓ４）、該方位角情報を操作部ソフト２３に送信する（図１９Ｓ４、図３７Ｓ５）。ＣＰＵ１１は支援ソフト２４ａからのプロット位置２００の位置情報（方位角情報）を認識し（図１９Ｓ５）、その後、データベース１４から図４（ａ）乃至（ｅ）に示す電柱入力に関するマスタデータ、即ち、柱長、強度、光ケーブル、ＣＰＥＶケーブル、装柱図部品マスタの各データを読み出し、これらのデータを電柱情報編集ウインドウ３００（図２１）に関連するコンボボックスに登録し（図１９Ｓ６）、図２１（ａ）の電柱情報編集ウインドウ３００をディスプレイ１６上に表示する（図１９Ｓ７）。
【００４５】
ここで、上記電柱情報ウインドウ３００は、左側には、電柱を描画し得る装柱図入力欄３０１、ケーブルタブ又は腕金タブにより選択可能な装柱図部品欄３０２が設けられており、右側には、現状タブ、ケーブルタブ、現況写真タブにより選択可能な現状入力画面（図２１（ａ））、ケーブル入力画面（同図（ｂ））、現況写真入力画面（同図（ｃ））が設けられている。上記ＣＰＵ１１は、図２２（ａ）（ｂ）に示すように、装柱図部品欄３０２の腕金部品欄３０２ａ，ケーブル部品欄３０２ｂには所定のコンボボックスからデータベース１４内の装柱図部品マスタテーブル（図４（ｅ））に予め登録されている腕金部品、ケーブル部品を表示する。装柱図を描画する場合は、図２２に示すように、操作者は、ケーブルタブを電子ペン４でプロットしてケーブル部品欄３０２ｂを表示させ、該欄に表示されている部品を電子ペン４にてプロットして装柱図入力欄３０１にドラッグし、また腕金タブを電子ペン４でプロットして腕金部品欄３０２ａを表示させ、該欄に表示されている部品をプロットして装柱図入力欄３０１にドラッグすることで、調査対象の電柱の装柱図を装柱図入力欄３０１に描画することができる（図２１（ａ）参照）。
【００４６】
上記現状入力画面では、電柱番号入力欄３０３から電柱番号（ここでは、「２３２タ４４５」とする）を入力し、電柱種類欄３０７には該当する電柱種類（例えば「Ｋ社柱」）をラジオボタンで指定し、電柱材質欄３０８において電柱材質（例えば「コンクリート柱」）をラジオボタンで指定する。さらに、柱長―強度指定欄３０９で柱長（例えば「１２」）、及び強度（例えば「１０００」）を入力し、管理者入力欄３１０に管理者（例えば「民地」）を入力する。
【００４７】
上記ケーブル入力欄（図２１（ｂ））では、光ケーブル入力欄３１１から光ケーブルの種類（例えば「光ケーブル  ２００Ｃ」）、ＣＰＥＶ入力欄３１２からＣＰＥＶの種類（例えば「ＣＰＥＶ  ０．６５  ５０Ｐ」）を入力する。
【００４８】
上記現況写真入力欄（図２１（Ｃ））では、「ファイルからの登録ボタン」３１３を押して予め写真データが登録してある写真ファイルのフォルダを開き、所定の写真ファイルを指定して、上記写真データを所定のディレクトリにコピーし、表示欄３１４に表示することができる。尚、電柱の写真はデジタルカメラ５で予め写しておき、補助記憶装置１３の所定のファイルに登録しておく。
【００４９】
上記現状入力画面における柱長―強度入力欄３０９、ケーブル入力画面における光ケーブル入力欄３１１、ＣＰＥＶ入力欄３１２の各矢印を電子ペン４でプロットすると、上記ＣＰＵ１１は各入力欄に対応するデータベース１４のマスタデータテーブル（図４）内の情報をコンボボックスから読み出してプルダウンメニューとして表示する。従って、操作者は、プルダウンメニュー中の該当するものを電子ペン４でプロットするだけで容易に入力を行うことができる。尚、上記電柱番号入力欄３０３からの電柱番号の入力は、上記周知のペン入力ＯＳ等で手書き入力等により入力する。
【００５０】
上記各電柱情報の入力が終了すると、操作者は上記編集ウインドウ３００の登録ボタン３１５を電子ペン４で押すと（図１９Ｓ８）、上記ＣＰＵ１１はタッチパネル１７を介してこれを検出し、方位角情報及び部品情報をデータベース１４に登録する。即ち、入力された電柱情報に対応するデータＩＤ（この場合「２０」）を付与し、電柱の方位角情報（経度・緯度データ）、当該データＩＤ（「２０」）、及び部品情報として、電柱番号（「２３２タ４４５」）、電柱種類（「Ｋ社柱」）、電柱材料（「コンクリート柱」）、柱長―強度（「１２−１０００」）、管理者（「民地」）、光ケーブルの種類（「光ケーブル  ２００Ｃ」）、ＣＰＥＶの種類（「ＣＰＥＶ  ０．６５  ５０Ｐ」）をデータベース１４内の電柱情報テーブル(図６)にテキスト或いは数値で登録する（図１９Ｓ９）。さらに、上記ＣＰＵ１１は、上記電柱番号に対応するデータＩＤ（この場合「１０」）を付与し、当該データＩＤ、電柱番号（「２３２タ４４５」）、及び上記装柱図入力欄３０１に描画した各部品のＸ，Ｙ座標データをデータベース１４の部品情報テーブル（図５）に登録する（図１９Ｓ９）。尚、上記Ｘ，Ｙ座標データは、各部品の装柱図入力欄３０１内の表示位置を示すものである。
【００５１】
上記ＣＰＵ１１は上記登録が終了すると、上記電柱情報編集ウインドウ３００をディスプレイ１６の画面１２０上から消して（図１９Ｓ１０）、上記方位角情報及び部品情報（電柱番号（「２３２タ４４５」）、電柱記号の種類（Ｋ社柱（電力柱））を支援ソフト２４ａに送信する（図１９Ｓ１１）。上記支援ソフト２４ａは上記方位角情報を上記ローカル座標に変換すると共に、当該ローカル座標の位置にこれらの部品を描画することを地図ソフト２４に要求し（図１９Ｓ１２、図３７Ｓ９、Ｓ１０）、その結果、上記地図ソフト２４は、当該部品（電柱記号）に対応するシンボル（Ｋ社柱（電力柱））をシンボルデータファイル２４ｂから読み出して、上記ＣＰＵ１１の指令に基づいてプロットされた画面上の位置２００（上記方位角情報の位置）に電柱記号２０１を表示し、さらに電柱番号２０２（「２３２タ４４５」）を表示する（図１９Ｓ１３、図３７Ｓ１１、図２０（ｂ））。また、地図ソフト２４は、上記電柱番号及び電柱記号に各々アイテム番号（「Ｚ００１」と「Ｚ００２」）を付与して、各アイテム番号を支援ソフト２４ａに送信すると共に、これらの部品、アイテム番号及び位置情報（例えば、経度・緯度情報等、本実施形態では上記ローカル座標）を地図データベース１５に登録する（図９）。
【００５２】
その後、上記支援ソフト２４ａは、地図ソフト２４により付与された電柱番号と電柱記号のアイテム番号を操作部ソフト２３に送信し（図１９Ｓ１４）、上記ＣＰＵ１１は、上記戻り値として返信された地図ソフトの電柱番号、電柱記号のアイテム番号（各々「Ｚ００１」、「Ｚ００２」）をデータベース１４の上記データＩＤ「２０」の電柱情報テーブル（図６）に登録する（図１９Ｓ１５）。この電柱アイテム番号は上記地図ソフト２４の上記データベース１５に登録されたアイテム番号と同一のものであり、上記データベース１４上の各種記号と地図データベース１５上の各種記号とを関連付けするためのデータである。以上で、電柱の登録が終了する。
【００５３】
次に、ハウスカウント登録を行う際は、ディスプレイ１６上の画面１２０（図１５）の上記ツールバー１２２のハウスカウントボタン１２８を電子ペン４でプロットすると（図２３Ｓ１）、上記ＣＰＵ１１はタッチパネル１７を介してこれを検出し、図２３に示すハウスカウント登録処理を行う。操作者は、ディスプレイ１６上で図２４（ａ）に示すように、ハウスカウント登録を行う電柱記号２０３（電柱番号「２３２タ４４５」）とハウスカウント記号の表示を行う地図上の表示位置２０４をプロットする（図２３Ｓ２）。すると、地図ソフト２４が各プロット位置のディスプレイ１６上のＸ，Ｙ座標を地図ソフト２４のローカル座標系として認識し（図３８Ｓ３）、支援ソフト２４ａが当該ローカル座標に基づいて地図ソフト２４に対してプロット位置の部品、この場合は電柱記号のアイテム番号の取得を要求する（図２３Ｓ３）。即ち、支援ソフト２４ａは上記プロット位置２０４の上記ローカル座標を特定し、当該ローカル座標に最も近い部品のアイテム番号の取得を地図ソフト２４に要求する（図２３Ｓ３、図３８Ｓ４）。或は、支援ソフト２４ａはプロットされた電柱記号及びその位置情報（経度・緯度情報）を認識し、当該電柱記号及びその位置情報を特定することにより上記地図ソフト２４の地図データベース１５に登録されている上記位置の電柱部品のアイテム番号の取得要求（ポーリング）を行う（図２３Ｓ３）。かかる要求に基づいて上記地図ソフト２４から、上記要求のあった電柱記号のアイテム番号（「Ｚ００２」）が地図データベース１５から読み出されて上記支援ソフト２４ａに返信され（図２５Ｓ４、図３８Ｓ５）、該支援ソフト２４ａは、上記表示位置２０４のローカル座標を方位角情報に変換し、当該電柱部品のアイテム番号（「Ｚ００２」）と上記ローカル座標に基づく表示位置２０４の方位角情報（ミリ秒までの経度・緯度情報のテキストデータ）を操作部ソフト２３に送信する（図２３Ｓ５、図３８Ｓ６、Ｓ７）。
【００５４】
上記操作部ソフト２３は上記操作に基づいて、上記プロットした電柱のアイテム番号（「Ｚ００２」）と表示位置２０４の方位角情報を認識し（図２３Ｓ６）、ディスプレイ１６上の画面１２０上に図２４（ｂ）に示すハウスカウント情報編集ウインドウ４００を表示する（図２３Ｓ７）。このとき、上記ＣＰＵ１１は、プロットされた上記電柱記号に対応する電柱記号のアイテム番号（「Ｚ００２」）に基づいて上記データベース１４内の電柱情報テーブル（図６）から電柱番号（「２３２タ４４５」）を読み出し、上記ウインドウ４００にその電柱番号（４０１）を表示する(図２３Ｓ７)。
【００５５】
上記ハウスカウント情報編集ウインドウ４００では、住宅について現在の世帯数を４０３欄、オフィスについて現在の世帯数を４０４欄、住宅について空き家を含む世帯数を４０５欄から電子ペン４で入力し、登録ボタン４０６を押す（図２３Ｓ８）。
【００５６】
すると、ＣＰＵ１１は登録ボタン４０６の押圧をタッチパネル１７を介して検出し、入力されたハウスカウント情報に対応するデータＩＤ（この場合「３０」）を付与し、ハウスカウント記号の方位角情報（経度・緯度情報）、即ち表示位置２０４の方位角情報、当該データＩＤ（「３０」）、及び部品情報として、端末番号と当該電柱記号のデータＩＤ（「１＋２０」）、住宅種別（オフィス）、世帯数（引き込み線の数）（この場合「２」）をデータベース１４内のハウスカウントテーブル（図７）にテキスト、或いは数値で登録する（図２３Ｓ９）。これにより、当該ハウスカウント記号が、端末番号「１」、データＩＤ「２０」の電柱番号「２３２タ４４５」のものであることを識別することができる。
【００５７】
上記ＣＰＵ１１は上記登録が終了すると、上記ディスプレイ１６から編集ウインドウ４００を消去して（図２３Ｓ１０）、その後、支援ソフト２４ａに上記ハウスカウント記号の上記方位角情報及び部品情報として住宅種別がオフィスである旨、及び世帯数（引き込み線の数）（「２」）の情報を送信する（図２３Ｓ１１）。上記支援ソフト２４ａは上記プロットされた表示位置２０４（上記方位角の位置）を方位角情報から逆にローカル座標に変換し、当該ローカル座標の位置（表示位置２０４）にハウスカウント記号及び世帯数を描画するように地図ソフト２４に要求する（図２３Ｓ１２、図３８Ｓ１１、Ｓ１２）。これにより、上記地図ソフト２４は上記ＣＰＵ１１の指令に基づいて、シンボルデータファイル２４ｂから対応するシンボルを読み出し、上記画面上の上記プロットした表示位置２０４にオフィス用ハウスカウント記号２０５を表示すると共に、世帯数（「２」）を記号中に描画する（図２３Ｓ１３、図３８Ｓ１３、図２４（ｃ））。このマークは、住宅用は丸、オフィス用は三角のマークであり、各々そのマーク内に世帯数が数字で表示されている。尚、世帯数の描画は、地図ソフト２４の文字列描画機能に基づいて行われる。また、上記地図ソフト２４は、上記ハウスカウント記号及び世帯数に各々アイテム番号（「Ｚ００５」と「Ｚ００７」）を付与し、支援ソフト２４ａに送信すると共に、上記ハウスカウントアイテム番号（「Ｚ００５」）、その世帯数のアイテム番号（「Ｚ００７」）及びハウスカウント記号の位置情報（ローカル座標）を地図データベース１５に登録する（図２３Ｓ１３、図９参照）。上記支援ソフト２４ａは上記各アイテム番号を操作部ソフト２３に送信し（図２３Ｓ１４）、上記ＣＰＵ１１は、上記電柱番号（２３２タ４４５）に対応するハウスカウントアイテム番号（「Ｚ００５」）及び世帯数のアイテム番号（「Ｚ００７」）をデータベース１４のデータＩＤ「３０」のハウスカウントテーブル（図７）に登録する（図２３Ｓ１５）。このハウスカウント記号及び世帯数のアイテム番号は上記地図ソフト２４上のハウスカウント記号及び世帯数と上記データベース１４上のハウスカウント記号及び世帯数とを関連付けするためのデータである。以上で、ハウスカウントの登録が終了したことになる。
【００５８】
次に、支線登録を行う際は、上記ディスプレイ１６の上記画面１２０（図１５）においてツールバー１２２の支線登録ボタン１２９を電子ペン４でプロットする（図２５Ｓ１）。すると上記ＣＰＵ１１はタッチパネル１７を介してこれを検出し、図２５の支線登録処理に移行する。上記操作者は、図２６（ａ）に示すように、支線登録を行う電柱記号２０６（「２３２タ４４５」）と支線の表示位置２０７を電子ペン４でプロットする（図２５Ｓ２）。すると、地図ソフト２４がタッチパネル１７を介してプロット位置２０７のディスプレイ１６上のＸ，Ｙ座標を検出し、該Ｘ，Ｙ座標を地図ソフトの上記ローカル座標系として認識する（図３８Ｓ３）。支援ソフト２４ａは当該ローカル座標に基づいて地図ソフト２４に対してプロット位置の部品、この場合は電柱記号のアイテム番号の取得を要求する（図２５Ｓ３）。即ち、支援ソフト２４ａは上記プロット位置２０７の上記ローカル座標を特定し、当該ローカル座標に最も近い部品のアイテム番号の取得を地図ソフト２４に要求する（図２５Ｓ３、図３８Ｓ４）。或は、支援ソフト２４ａはプロットされた電柱記号及びその位置情報（経度・緯度情報）を認識し、当該電柱記号及びその位置情報を特定することにより上記地図ソフト２４に対して地図データベース１５に登録されている上記位置の電柱部品のアイテム番号の取得要求（ポーリング）を行う。かかる要求に基づいて上記地図ソフト２４から、上記要求のあった電柱記号のアイテム番号（「Ｚ００２」）が地図データベース１５から読み出されて上記支援ソフト２４ａに返信され（図２５Ｓ４、図３８Ｓ５）、該支援ソフト２４ａは、上記表示位置２０７のローカル座標を方位角情報に変換し、当該電柱記号のアイテム番号（「Ｚ００２」）と上記ローカル座標系に基づく表示位置２０７の方位角情報（ミリ秒までの経度・緯度のテキストデータ）を操作部ソフト２３に送信する（図２５Ｓ５、図３８Ｓ６、Ｓ７）。
【００５９】
上記操作部ソフト２３は、上記プロットした電柱記号のアイテム番号（「Ｚ００２」）とプロットした支線の表示位置２０７方向の方位角情報を認識し（図２５Ｓ６）、データベース１４の電柱情報テーブル（図６）を検索し、上記電柱記号のアイテム番号（「Ｚ００２」）に関連して既に登録されている支線個数を調べる（図２５Ｓ７）。ここで、既に登録されている支線個数が４個未満の場合は、上記方位角情報から支線方向を算出する（図２５Ｓ８，Ｓ９）。本実施形態の場合は、ＣＰＵ１１は上記アイテム番号（「Ｚ００２」）に基づいて、図６のデータＩＤ２０の電柱情報を検索し、この場合支線個数は「１」なので、上記支線方向の算出を行う。ここで、支線方向の算出は、図３４に示すように、電柱記号を中心として東西南北の座標を設定し、上記プロット位置の方位角情報に基づいて該プロット位置の角度（０°≦θ＜３６０°）により算出する。
【００６０】
上記支援ソフト２４ａは、上記電柱記号のアイテム番号（「Ｚ００２」）に基づいて、当該電柱記号が登録されているデータベース１４の電柱情報テーブルを検索し、当該電柱記号が登録されているデータＩＤ（この場合「２０」）の電柱情報テーブル内に算出した支線方向（θ°）を登録する（図２５Ｓ１０、図６参照）。
【００６１】
さらに、上記操作部ソフト２３は、上記支線の方位角情報及び部品情報、この場合は支線記号である旨の情報を支援ソフト２４ａに送信し（図２５Ｓ１１）、上記支援ソフト２４ａは上記方位角情報を逆に上記ローカル座標に変換し、地図ソフト２４に当該ローカル座標（表示位置２０７）の情報を送信すると共に支線記号の描画要求を行い（図２５Ｓ１２、図３８Ｓ１１、Ｓ１２）、その結果、地図ソフト２４は、シンボルデータファイル２４ｂから対応する部品（この場合は支線記号）を読み出し、ディスプレイ１６の画面１２０の地図１２１上に支線方向に向いた矢印として支線記号２１４が表示される（図２５Ｓ１３、図３８Ｓ１３、図２６（ｂ））。また、上記地図ソフト２４は、上記支線記号にアイテム番号（この場合「Ｚ００３」とする）を付与して支援ソフト２４ａに送信すると共に、当該支線アイテム番号及びその位置情報（ローカル座標）を地図データベース１５に登録し（図２５Ｓ１３、図９参照）、上記支援ソフト２４ａは上記支線アイテム番号（「Ｚ００３」）を操作部ソフト２３に送信する（図２５Ｓ１４）。
【００６２】
その後、上記操作部ソフト２３は、上記電柱情報テーブル（この場合、データＩＤ「２０」の電柱情報テーブル（図６））に、上記支線記号のアイテム番号（「Ｚ００３」）及び支線の方位角（上記表示位置２０７の方位角）を登録する（図２５Ｓ１５）。尚、上記ステップＳ８で上記支線の数が４個未満でなければ、エラーダイアログを表示して戻る（図２５Ｓ１６）。以上で、支線の登録が終了したことになる。
【００６３】
次に、トランス登録を行う際は、上記ディスプレイ１６の画面１２０(図１５)において上記ツールバー１２２のトランス登録ボタン１３０を電子ペン４でプロットする（図２７Ｓ１）。すると、上記ＣＰＵ１１は上記タッチパネル１７を介してこれを検出し、図２７のトランス登録処理を行う。操作者は、図２８（ａ）に示すように、トランス登録を行う電柱記号２０９（電柱番号「２３２タ４４５」）とトランスの設置されている方向位置２１０をディスプレイ１６上で電子ペン４にてプロットする（図２７Ｓ２）。すると、地図ソフト２４がタッチパネル１７を介してプロット位置２１０のディスプレイ１６上のＸ，Ｙ座標を検出し、該Ｘ，Ｙ座標を地図ソフトの上記ローカル座標系として認識する（図３８Ｓ３）。支援ソフト２４ａは当該ローカル座標に基づいて地図ソフト２４に対してプロット位置の部品、この場合は電柱記号のアイテム番号の取得を要求する（図２７Ｓ３）。即ち、支援ソフト２４ａは上記プロット位置２１０の上記ローカル座標を特定し、当該ローカル座標に最も近い部品のアイテム番号の取得を地図ソフト２４に要求する（図２７Ｓ３、図３８Ｓ４）。或は、支援ソフト２４ａはプロットされた電柱記号及びその位置情報（経度・緯度情報）を認識し、当該電柱記号及びその位置情報を特定することにより上記地図ソフト２４に対して地図データベース１５に登録されている電柱部品のアイテム番号の取得要求（ポーリング）を行う。かかる要求に基づいて上記地図ソフト２４から、上記要求のあった電柱記号のアイテム番号（「Ｚ００２」）が地図データベース１５から読み出されて上記支援ソフト２４ａに返信され（図２７Ｓ４、図３８Ｓ５）、該支援ソフト２４ａは、上記方向位置２１０のローカル座標を方位角情報に変換し、当該電柱記号のアイテム番号（「Ｚ００２」）と、上記座標系に基づくプロットされたトランス方向位置２１０の方位角情報（ミリ秒までの経度・緯度のテキストデータ）を操作部ソフト２３に送信する（図２７Ｓ５、図３８Ｓ６、Ｓ７）。
【００６４】
上記操作部ソフト２３は、上記プロットした電柱のアイテム番号（「Ｚ００２」）とプロットしたトランス方向位置２１０の方位角情報を認識し（図２７Ｓ６）、該方位角情報からトランス方向を算出する（図２７Ｓ７）。トランス方向の算出方法は、上記支線方向の算出と同様に、図３４に示すように電柱記号を中心としたプロット位置の角度（θ°）により算出する。上記操作部ソフト２３は、上記電柱記号のアイテム番号（「Ｚ００２」）に基づいて、当該電柱記号が登録されているデータベース１４の電柱情報テーブルを検索し、当該電柱記号が登録されているデータＩＤ（この場合「２０」）の電柱情報テーブル内に算出したトランス方向（θ°）を登録する（図２７Ｓ８、図６参照）。
【００６５】
さらに、上記操作部ソフト２３は、上記トランスの方向位置２１０の方位角情報及び部品情報、この場合はトランス記号である旨の情報を支援ソフト２４ａに送信し（図２７Ｓ９）、上記支援ソフト２４ａは上記方向位置２１０の方位角情報を逆に上記ローカル座標に変換し、地図ソフト２４に該ローカル座標の位置情報を送信すると共にトランス記号の描画要求を行い（図２７Ｓ１０、図３８Ｓ１１、Ｓ１２）、その結果、地図ソフト２４は、シンボルデータファイル２４ｂから対応する部品（この場合はトランス記号）を読み出し、ディスプレイ１６の画面１２０の地図上の位置２１０（上記方位角の位置）にトランス方向に向いたトランス記号（「Ｔ」）としてトランス記号２０８を表示する（図２７Ｓ１１、図３８Ｓ１３、図２８（ｂ））。また、上記地図ソフト２４は、上記トランス記号にアイテム番号（「Ｚ００４」とする）を付与して支援ソフト２４ａに送信すると共に、当該トランスアイテム番号及びトランス記号の位置情報（ローカル座標）を地図データベース１５に登録する（図２７Ｓ１１、図９参照）。上記支援ソフト２４ａは上記地図ソフト２４から送られてきたトランスアイテム番号を操作部ソフト２３に送信する（図２７Ｓ１２）。
【００６６】
その後、上記操作部ソフト２３は、上記トランス記号のアイテム番号（「Ｚ００４」）及びトランスの方位角を上記電柱番号の記憶されたデータＩＤ（この場合「２０」）の電柱情報テーブル（図６）に登録する（図２７Ｓ１３，図６参照）。以上で、トランスの登録が終了したことになる。
【００６７】
次に、径間長登録処理を行う場合は、ディスプレイ１６の画面１２０（図１５）のツールバー１２２において、径間長登録ボタン１３１を電子ペン４でプロットする（図２９Ｓ１）。すると上記ＣＰＵ１１はタッチパネル１７を介してこれを検出し、図２９の径間長登録処理に移行する。上記操作者は、図３０（ａ）に示すように、ディスプレイ１６の地図１２１上で径間長の登録を行う２つの電柱記号２１１（電柱番号「２３２タ４４５」）、２１２（電柱番号「２４２タ２５５」）を電子ペン４でプロットする（図２９Ｓ２）。すると、地図ソフト２４がプロット位置のディスプレイ１６上のＸ，Ｙ座標をタッチパネル１７を介して検出し、これらのＸ，Ｙ座標を地図ソフト２４のローカル座標系として認識する（図３９Ｓ３）。支援ソフト２４ａは当該ローカル座標に基づいて地図ソフト２４に対してプロット位置の部品、この場合は２つの電柱記号のアイテム番号の取得を要求する（図２９Ｓ３）。即ち、支援ソフト２４ａは上記２つのプロット位置（２１１、２１２）の上記ローカル座標を特定し、当該ローカル座標に最も近い部品のアイテム番号の取得を地図ソフト２４ａに要求する（図２９Ｓ３、図３９Ｓ４）。或は、支援ソフト２４ａはプロットされた２つの電柱記号の位置情報（経度・緯度情報）を認識し、これら電柱記号の位置情報を特定することにより上記地図ソフト２４に対して地図データベース１５に登録されているこれら２つの電柱部品のアイテム番号の取得要求（ポーリング）を行う。かかる要求に基づいて上記地図ソフト２４から、上記要求のあった電柱記号のアイテム番号（「Ｚ００２」と「Ｚ０１２」）が地図データベース１５から読み出されて上記支援ソフト２４ａに返信され（図２５Ｓ４、図３９Ｓ５）、該支援ソフト２４ａは、当該２つの電柱記号のアイテム番号（「Ｚ００２」と「Ｚ０１２」）を操作部ソフト２３に送信する（図２９Ｓ５）。
【００６８】
上記操作部ソフト２３は、上記プロットした２つの電柱のアイテム番号を認識し（図２９Ｓ６）、また、上記アイテム番号に基づいて上記データベース１４内の電柱情報テーブル（図６）から上記２つの電柱番号の方位角情報（経度・緯度情報）を読み出し（図６のデータＩＤ「２０」とデータＩＤ「２１」の電柱の方位角情報）、該情報に基づいて２点間の距離（径間長）を算出し（図２９Ｓ７）、当該径間長（「３８」）を表示した図３０（ｂ）の径間長情報編集ウインドウ５００をディスプレイ１６上に表示する（図２９Ｓ８）。
【００６９】
操作者は上記距離に変更がなければ登録ボタン５０１を電子ペン４でプロットする（図２９Ｓ９）。変更ある場合は入力欄５０２により入力する。ＣＰＵ１１は上記登録ボタン５０１が押されたことをタッチパネル１７を介して検出すると（図２９Ｓ９）、入力された径間長情報に対応するデータＩＤ（この場合「４０」）を付与し、プロットされた２つの電柱記号のアイテム番号（「Ｚ００２」と「Ｚ０１２」）に基づいてデータベース１４の電柱情報テーブル（図６）の端末番号と電柱記号のデータＩＤを検索し、部品情報として、各々の端末番号（この場合、何れも「１」）、電柱記号のデータＩＤ（この場合、「２０」と「２１」）、及び径間長（この場合「３８」）をデータＩＤ「４０」の径間長テーブル（図８）に登録する（図２９Ｓ１０、図８参照）。尚、上記電柱は、端末番号及びデータＩＤ「１＋２０」を電柱１、端末番号及びデータＩＤ「１＋２１」を電柱２として登録する。
【００７０】
上記ＣＰＵ１１は上記登録が終了すると、ディスプレイ１６の上記編集ウインドウ５００を消去して（図２９Ｓ１１）、その後、上記２つの電柱記号の上記方位角情報と部品情報、即ち径間長ラインである旨の情報及び径間長データ「３８」を支援ソフト２４ａに送信し（図２９Ｓ１２）、該支援ソフト２４ａは、上記２つの電柱記号の上記方位角情報をローカル座標に変換し、地図ソフト２４に当該ローカル座標の電柱記号間に径間長ライン及び径間長（数値）を描画するように要求する（図２９Ｓ１３、図３９Ｓ１０、Ｓ１１）。その結果、地図ソフト２４が、地図上に当該径間長ライン２１３を描画すると共にその距離（「３８」）を表示する（図２９Ｓ１４、図３９Ｓ１２、図３０（ｃ））。尚、上記径間長ライン２１３及びその距離は、各々地図ソフト２４の線分描画機能、文字描画機能を使用して行われる。また、上記ライン２１３の線種は予め設定が可能であり、本実施形態では線分データとして「実線」が径間長デーブル（図８）に登録されている。
【００７１】
また、地図ソフト２４は上記径間長ライン及び径間長（「３８」）に各々アイテム番号（この場合「Ｚ００６」と「Ｚ００８」とする）を付与して、地図データベース１５に該径間長ライン及び径間長の各アイテム番号及び各々の位置情報（ローカル座標）を登録すると共に（図９参照）、支援ソフト２４ａに対して各アイテム番号を送信する（図２９Ｓ１４）。上記支援ソフト２４ａは上記径間長ライン及び径間長のアイテム番号を操作部ソフト２３に送信し（図２９Ｓ１５）、該操作部ソフト２３はこれらのアイテム番号（「Ｚ００６」と「Ｚ００８」）をデータベース１４におけるデータＩＤ「４０」の径間長テーブルに登録する（図２９Ｓ１６、図８参照）。以上で、径間長の登録が終了したことになる。
【００７２】
上述のように、本発明に係る電柱情報入力装置によると、ディスプレイ１６の電柱入力画面１２０上で、電子ペン４により電柱に関する各種情報を容易に入力することができる。
【００７３】
次に、図１１のメニュー画面１００において、電柱情報一覧ボタン１０２を電子ペン４でプロットすると(図１２Ｓ４)、ＣＰＵ１１はタッチパネル１７を介してこれを検出し、図３１の電柱情報一覧画面６００をディスプレイ１６の画面上に表示する（図１２Ｓ５）。上記ＣＰＵ１１は、電柱種類、柱長、強度、管理者等の上記データベース１４の各情報テーブル（図５〜図８）に記憶されている各データを、各電柱番号毎に表示する。
【００７４】
ここで、データを基地局サーバ３に送信する場合は、上記電柱情報一覧画面６００において、データ送信したい電柱の行６０１を電子ペン４でプロットして選択し、データ送信ボタン６０２をプロットする（図３２Ｓ１）。上記ＣＰＵ１１は、上記送信ボタン６０２の押圧をタッチパネル１７を介して検出すると、選択された電柱があるいか否かを検出し（図３２Ｓ２）、選択した電柱がある場合は、通信用データの雛型作成処理を行う（図３２Ｓ３）。尚、選択電柱がない場合は、前回送信した後に更新された電柱を選択電柱とする（図３２Ｓ１４）。次に、上記ＣＰＵ１１は、ディスプレイ１６上に図３３に示す通信ウインドウ７００を表示する（図３２Ｓ４）。ここでは、上記電柱情報一覧画面６００で選択された電柱の各項目を集計し、集計結果が表示される。その後、操作者は、電子ペン４にて送信すべきデータをチェックボックスにより選択し（図３２Ｓ５）、通信開始ボタン７０１をプロットする（図３２Ｓ６）。
【００７５】
すると、ＣＰＵ１１は通信用雛型から選択されていないデータを削除して、データに端末番号「１」を付加して、出力データを圧縮し、圧縮したデータをパケットサイズに分割し、ＲＡＳアクセス又はモデムにより、該データをＰＣＭＣＩＡカードインターフェース１８を介して携帯電話２より基地局サーバ３に向けて送信する（図３２Ｓ７〜Ｓ１３）。これにより、上記携帯電話２により上記選択した電柱データを基地局サーバ３に送信することができる。送信データには、端末番号「１」が付加されており、基地局サーバ３において、複数の径路情報入力端末１からのデータが送信されても、当該他の端末１のデータには他の端末番号が付加されているので、各端末毎にデータを管理することができる。
【００７６】
尚、図１１のメニュー画面１００において、データバックアップボタン１０４を電子ペン４でプロットすると、データバックアップ処理が行われ（図１２Ｓ８、Ｓ９）、終了ボタン１０５を同様にプロットすると、終了処理が行われる（図１２Ｓ１０、Ｓ１１）。
【００７７】
図３５は、本発明に係る電柱情報入力装置の上記ＣＰＵ１１の機能をブロック化した機能ブロック図の一例であり、以下、主に電柱情報登録処理、及びトランス登録処理について、同ブロック図の動作を説明する。
【００７８】
電子ペン４等からなる入力手段５０により液晶ディスプレイ１６等の表示手段５１上の所定位置を指定すると、タッチパネル１７等の指定位置検出手段５２を介してＣＰＵ１１等の制御手段５３の登録情報検出手段５４が、指定操作を検出する。当該指定操作が地図拡大，縮小ボタン１２４，１２３等による地図拡大縮小操作等であれば、上記登録情報検出手段５４が支援ソフト２４ａ等からなる制御手段５５の描画要求手段５６を通じて地図ソフト２４等の制御手段５７の地図表示制御手段５８に地図の拡大縮小等の描画要求を行い、その結果、上記地図表示制御手段５８により上記表示手段５１に表示されている地図の拡大縮小が行われる。
【００７９】
上記指定操作が電柱登録ボタン１２７の押圧及び電柱位置の指定による電柱情報登録操作であれば、制御手段５５の位置情報検出手段５９が上記登録情報検出手段５４からの指定位置情報の入力を受け、又は指定位置検出手段５２を介して地図表示制御手段５８が認識した指定位置のローカル座標を上記位置情報検出手段５９が認識し、該検出手段５９が当該座標を方位角情報に変換し、該方位角情報を制御手段５３の部品情報・位置情報認識手段６０に送信する（図１９Ｓ１〜Ｓ４）。その後、マスタデータ登録手段６１がマスタデータを電柱情報記憶手段６２から読み出し、所定のコンボボックスに登録し、編集ウインドウ表示手段６３が電柱情報編集ウインドウ３００を表示手段５１に表示する（図１９Ｓ５〜Ｓ７）。上記入力手段５０による上記ウインドウからの情報入力があると、指定位置検出手段５２、登録情報検出手段５４を介して部品情報・位置情報認識手段６０が方位角情報及び入力された各種部品情報を認識し、これらの各情報を記憶制御手段６４に送信し、上記記憶制御手段６４がこれらの情報を電柱情報記憶手段６２に登録する（図１９Ｓ９，Ｓ１０）。また、上記編集ウインドウ表示手段６３は上記ウインドウを消去し、上記部品情報・位置情報認識手段６０は上記制御手段５５の描画要求手段５６に描画を指示し、該要求手段５６が上記方位角情報をローカル座標に変換し、制御手段５７の地図表示制御手段５８に対して上記ローカル座標の位置に電柱記号の描画を要求する（図１９Ｓ１０〜Ｓ１２）。上記地図表示制御手段５８はシンボル記憶手段６５から電柱記号を読み出して、当該電柱記号を表示手段５１の指定位置に表示する。また、部品情報制御手段６７は、上記電柱記号にアイテム番号を付与して当該アイテム番号と上記ローカル座標を地図データ記憶手段６６に記憶すると共に、部品取得手段６８にアイテム番号を送信し、さらに該部品取得手段６８は該アイテム番号を部品情報・位置情報認識手段６０に送信する。記憶制御手段６４は上記部品情報・位置情報認識手段６０を介して受けたアイテム番号を電柱情報記憶手段６２に記憶する（図１９Ｓ１４、Ｓ１５）。以上により、電柱記号等の情報を登録することができる。
【００８０】
また、上記指定操作が、トランス登録ボタン１３０、電柱記号及びトランス表示位置の指定操作であれば、登録情報検出手段５４を介して部品取得手段６８、位置情報検出手段５９が当該操作を検出し、又は指定位置検出手段５２を介して地図表示制御手段５８が認識した上記表示位置のローカル座標を上記位置情報検出手段５９が認識し、部品取得手段６８が部品情報制御手段６７に対して指定位置（ローカル座標）の部品の取得要求を行い、上記部品情報制御手段６７は地図データ記憶手段６６から当該電柱記号のアイテム番号を読み出して部品取得手段６８に送信する（図２７Ｓ１〜Ｓ４）。位置情報検出手段５９は上記ローカル座標を方位角情報に変換し、また上記部品取得手段６８から上記アイテム番号を受け、該番号を上記表示位置の方位角情報と共に部品情報・位置情報認識手段６０に送信する（図２７Ｓ５）。上記部品情報・位置情報認識手段６０が上記部品のアイテム番号と方位角情報を認識すると、方向算出手段６９が上記方位角情報からトランス方向を算出し（図２７Ｓ６，Ｓ７）、当該トランス方向を記憶制御手段６４を介して電柱情報記憶手段６２に登録する（図２７Ｓ８）。次に、上記部品情報・位置情報認識手段６０は、上記方位角情報及び部品情報を描画要求手段５６に送信し、該描画要求手段５６は上記方位角情報をローカル座標に変換して、地図表示制御手段５８に対して当該ローカル座標の位置にトランス記号の描画要求を行い、その結果、上記表示制御手段５８はシンボル記憶手段６５からトランス記号を読み出して当該トランス記号を表示手段５１の上記表示位置に表示する（図２７Ｓ９〜Ｓ１１）。また、上記部品情報制御手段６７は上記トランス記号にアイテム番号を付与し、該番号とその方位角情報或はローカル座標を地図データ記憶手段６６に記憶し、上記アイテム番号を部品取得手段６８に送信する（図２７Ｓ１１）。上記部品取得手段６８は上記アイテム番号を上記部品情報・位置情報認識手段６０に送信し、上記記憶制御手段６４は上記認識手段６０を介して受けた上記アイテム番号を電柱情報記憶手段６２に登録する（図２７Ｓ１２，Ｓ１３）。以上でトランス記号を登録することができる。
【００８１】
尚、図中、７０は、径間長登録処理において、指定された２つの電柱記号の方位角情報から径間長を算出する径間長算出手段である。
【００８２】
本発明は以上のように、ディスプレイ１６上に表示された現在位置の地図画面上の位置を電子ペン４で指定することにより、電柱に関する各種情報を入力することができるため、調査現場における入力作業が極めて容易であり、また入力された各種情報を地図上に表示することができるので、電柱に関する情報を地図画面上で一目で確認することができ、極めて操作性の高い電柱情報入力装置を提供することができる。
【００８３】
また、地図データベース１５と地図制御用ソフトウエア２４は、市販の汎用ソフトを使用することができるため、全国各地の地図データを使用することができ、汎用性に富む電柱情報入力装置を構成することができる。
【００８４】
また、地図として市販の汎用ソフトを使用しても、地図ソフトウエア２４で使用する各種部品のアイテム番号をデータベース１４にも登録する構成であるため、当該アイテム番号を指定することにより、地図ソフトウエア２４上の各種部品の指定、移動、変更、削除を容易に行うことができる。
【００８５】
また、データベース１４に登録される各種データには径路情報入力端末１毎に異なる端末番号が付与されるので、複数の入力端末１を使用しても各端末毎のデータを区別することができ、例えば複数の入力端末１から上記データを１つの基地局サーバ３に対して送信しても、該基地局サーバ３において各端末毎のデータを容易に管理することができ、複数の入力端末１を使用して効率的に電柱情報の調査を行うことができる。
【００８６】
本発明に関して、さらに以下の事項を開示する。
１．請求項１又は２の制御手段が、請求項１又は２の各ステップを実行することを特徴とする電柱情報入力装置の動作方法。
２．地図情報を表示し得る表示手段、地図情報を記憶している地図情報記憶手段、各種情報を入力するための入力手段、該入力手段から入力された各種情報を記憶するための電柱情報記憶手段、上記入力手段による入力操作に基づいて各種制御を行う制御手段とを有するコンピュータを利用した電柱情報入力方法であって、上記表示手段が上記地図情報記憶手段に記憶されている地図情報を地図画面として表示するステップと、上記制御手段が上記入力手段による上記地図画面上の所定位置の指定を検出し、当該位置の位置情報を認識するステップと、上記表示手段が入力情報編集ウインドウを表示するステップと、上記制御手段が上記入力手段による上記ウインドウからの電柱に関する情報の入力を検出するステップと、上記制御手段が入力された電柱に関する情報に基づいて電柱に関する記号を上記地図情報記憶手段から読み出して上記地図画面上の指定された上記所定位置に表示するステップと、上記電柱情報記憶手段が入力された電柱に関する情報を記憶するステップと、からなることを特徴とする電柱情報入力方法。
３．地図情報を表示し得る表示手段、地図情報を記憶している地図情報記憶手段、各種情報を入力するための入力手段、該入力手段から入力された各種情報を記憶するための電柱情報記憶手段、上記入力手段による入力操作に基づいて各種制御を行う制御手段とを有するコンピュータを利用した電柱情報入力方法であって、上記表示手段が電柱情報入力のための情報入力ボタン及び地図情報記憶手段に記憶されている地図情報を地図画面として表示するステップと、上記制御手段が上記入力手段による所定の上記情報入力ボタンの指定を検出するステップと、上記制御手段が上記入力手段による地図画面上の電柱に関する記号及び情報入力位置の指定を検出し、該情報入力位置の位置情報及び指定された電柱に関する記号を認識するステップと、上記制御手段が指定された上記情報入力ボタンに関連した情報記号を上記地図情報記憶手段から読み出して上記地図画面上の指定された上記情報入力位置に表示するステップと、上記電柱情報記憶手段が上記情報記号に関する情報を記憶するステップと、からなることを特徴とする電柱情報入力方法。
【図面の簡単な説明】
【００８７】
【図１】本発明に係る電柱情報入力装置、及び基地局サーバを示す全体構成図である。
【図２】同上電柱情報入力装置の電気的構成を示すブロック図である。
【図３】（ａ）〜（ｃ）は、同上装置のシンボルデータファイルに記憶されているシンボルを示す図である。
【図４】（ａ）〜（ｅ）は同上装置のデータベースに記憶されているマスタテーブルの内容を示す図である。
【図５】同上装置のデータベースに記憶されている部品情報テーブルの内容を示す図である。
【図６】同上装置のデータベースに記憶されている電柱情報テーブルの内容を示す図である。
【図７】同上装置のデータベースに記憶されているハウスカウントテーブルの内容を示す図である。
【図８】同上装置のデータベースに記憶されている径間長テーブルの内容を示す図である。
【図９】同上装置の地図データベースに記憶される各種部品のアイテム番号，及び位置情報を示す図である。
【図１０】同上装置の操作部ソフトにおけるシステム起動処理を示すフローチャートである。
【図１１】同上装置のメニュー画面を示す図である。
【図１２】同上装置の操作部ソフトにおけるメニュー画面処理を示すフローチャートである。
【図１３】（ａ）（ｂ）は、同上装置のマスタ登録画面を示す図である。
【図１４】同上装置の操作部ソフトにおけるマスタ登録処理を示すフローチャートである。
【図１５】同上装置の電柱情報入力画面を示す図である。
【図１６】同上装置における操作部ソフト、支援ソフト、地図ソフトの地図拡大縮小処理を示すフローチャートである。
【図１７】同上装置における操作部ソフト、支援ソフト、地図ソフトの指定位置拡大処理を示すフローチャートである。
【図１８】同上装置における操作部ソフト、支援ソフト、地図ソフトの地図移動処理を示すフローチャートである。
【図１９】同上装置における操作部ソフト、支援ソフト、地図ソフトの電柱登録処理を示すフローチャートである。
【図２０】（ａ）（ｂ）は、地図画面から電柱登録を行う場合の操作を説明するための地図画面を示す図である。
【図２１】（ａ）は同上装置における電柱情報編集ウインドウを示す図、（ｂ）（ｃ）は各々ケーブル入力画面、現況写真入力画面を示す図である。
【図２２】（ａ）（ｂ）は、装柱図作成手順を示す電柱情報編集ウインドウの装柱図入力欄を示す図である。
【図２３】同上装置における操作部ソフト、支援ソフト、地図ソフトのハウスカウント登録処理を示すフローチャートである。
【図２４】（ａ）〜（ｃ）は、ハウスカウント登録処理手順を示すものであり、（ａ）（ｃ）は地図画面、（ｂ）はハウスカウント情報編集ウインドウを示す図である。
【図２５】同上装置における操作部ソフト、支援ソフト、地図ソフトの支線登録処理を示すフローチャートである。
【図２６】（ａ），（ｂ）は、地図画面から支線登録処理手順を説明するための地図画面を示す図である。
【図２７】同上装置における操作部ソフト、支援ソフト、地図ソフトのトランス登録処理を示すフローチャートである。
【図２８】（ａ）（ｂ）は、地図画面からトランス登録処理手順を説明するための地図画面を示す図である。
【図２９】同上装置における操作部ソフト、支援ソフト、地図ソフトの径間長登録処理を示すフローチャートである。
【図３０】（ａ）〜（ｃ）は、径間長登録処理手順を示すものであり、（ａ）（ｃ）は地図画面、（ｂ）は径間長情報編集ウインドウを示す図である。
【図３１】同上装置における電柱情報一覧画面を示す図である。
【図３２】同上装置の操作部ソフトにおけるデータ送信処理を示すフローチャートである。
【図３３】同上装置における通信ウインドウを示す図である。
【図３４】支線方向又はトランス方向を算出する方法の説明図である。
【図３５】本発明に係る電柱情報入力装置のＣＰＵの機能を示すブロック図である。
【図３６】ローカル座標と方位角情報の変換動作を説明するためのディスプレイ及びライブラリーの概念図である。
【図３７】操作部ソフト、支援ソフト、地図ソフトの電柱登録処理のプロット位置の認識手順の詳細を示すフローチャートである。
【図３８】操作部ソフト、支援ソフト、地図ソフトのハウスカウント登録処理、支線登録処理、トランス登録処理のプロット位置の認識手順の詳細を示すフローチャートである。
【図３９】操作部ソフト、支援ソフト、地図ソフトの径間長登録処理のプロット位置の認識手順の詳細を示すフローチャートである。
【符号の説明】
【００８８】
４      電子ペン
１２    主記憶装置
１４    データベース
１５    地図データベース
１６    ディスプレイ
１７    タッチパネル
１２０  電柱情報入力画面
１２２  ツールバー
１２７  電柱登録ボタン
１２８  ハウスカウント登録ボタン
１２９  支線登録ボタン
１３０  トランス登録ボタン
１３１  径間長登録ボタン
【図１】
2004302477.tif 000003
【図２】
2004302477.tif 000004
【図３】
2004302477.tif 000005
【図４】
2004302477.tif 000006
【図５】
2004302477.tif 000007
【図６】
2004302477.tif 000008
【図７】
2004302477.tif 000009
【図８】
2004302477.tif 000010
【図９】
2004302477.tif 000011
【図１０】
2004302477.tif 000012
【図１１】
2004302477.tif 000013
【図１２】
2004302477.tif 000014
【図１３】
2004302477.tif 000015
【図１４】
2004302477.tif 000016
【図１５】
2004302477.tif 000017
【図１６】
2004302477.tif 000018
【図１７】
2004302477.tif 000019
【図１８】
2004302477.tif 000020
【図１９】
2004302477.tif 000021
【図２０】
2004302477.tif 000022
【図２１】
2004302477.tif 000023
【図２２】
2004302477.tif 000024
【図２３】
2004302477.tif 000025
【図２４】
2004302477.tif 000026
【図２５】
2004302477.tif 000027
【図２６】
2004302477.tif 000028
【図２７】
2004302477.tif 000029
【図２８】
2004302477.tif 000030
【図２９】
2004302477.tif 000031
【図３０】
2004302477.tif 000032
【図３１】
2004302477.tif 000033
【図３２】
2004302477.tif 000034
【図３３】
2004302477.tif 000035
【図３４】
2004302477.tif 000036
【図３５】
2004302477.tif 000037
【図３６】
2004302477.tif 000038
【図３７】
2004302477.tif 000039
【図３８】
2004302477.tif 000040
【図３９】
2004302477.tif 000041